(57)【要約】      （修正有）【課題】左右のシャッタを制御するためのプロトコルが異なる複数のアクティブシャッタメガネを制御できるエミッタ装置を提供する。【解決手段】エミッタ装置１０は、プロトコル毎のコマンド信号の間欠時間がそれぞれ自走可能時間を越えないようにプロトコル毎のコマンド信号を時分割に多重して送出する。より具体的には、エミッタ装置では、一連の第１のコマンド信号と一連の第２のコマンド信号とがＮフレーム毎に連続して交互に切り替えられて送出される。ここでＮはメガネがシャッタ開閉周期を算出するために必要な最小フレーム数であり、例えばＮ＝２である。【選択図】図６
2012049604.tif 000002
【特許請求の範囲】
【請求項１】
左右のシャッタを制御するためのプロトコルが異なる複数のアクティブシャッタメガネにそれぞれ対応する複数のプロトコルのコマンド信号をそれぞれ生成可能な複数の生成部と、
前記複数の生成部にて生成された前記複数のプロトコルのコマンド信号を時分割に多重して送出するコマンド送出部と
を具備するエミッタ装置。
【請求項２】
請求項１に記載のエミッタ装置であって、
前記複数のアクティブシャッタメガネがそれぞれ、前記左右のシャッタを交互に開閉する動作を前記コマンド信号の停止後所定の自走可能時間継続することが可能とされ、
前記コマンド送出部は、前記プロトコル毎のコマンド信号の間欠時間がそれぞれ前記自走可能時間を越えないように前記プロトコル毎のコマンド信号を時分割に多重して送出する
エミッタ装置。
【請求項３】
請求項２に記載のエミッタ装置であって、
前記コマンド送出部は、前記プロトコル毎のコマンド信号をそれぞれ所定のフレーム数に相当する時間単位で時分割に多重して送出する
エミッタ装置。
【請求項４】
請求項３に記載のエミッタ装置であって、
前記所定のフレーム数が、それぞれの前記アクティブシャッタメガネが前記左右のシャッタの開閉周期を算出可能な最小フレーム数である
立体映像表示装置。
【請求項５】
請求項２に記載のエミッタ装置であって、
前記コマンド送出部は、各プロトコルのコマンド信号をそれぞれブランクの１以上のフレームを挟んで切り替えて送出する
エミッタ装置。
【請求項６】
請求項１に記載のエミッタ装置であって、
少なくとも１つのプロトコルが、第１の所定のフレーム数の無信号区間とこの無信号区間の前後の第２の所定のフレーム数の信号区間とで構成される信号の系列を、対応する前記アクティブシャッタメガネにおいて制御を開始するためのトリガとして用いることを規定するものであって、
前記コマンド送出部は、前記無信号区間に相当する期間の少なくとも一部に他の少なくとも１つのプロトコルに対応するコマンド信号を送出する
エミッタ装置。
【請求項７】
請求項１ないし６のいずれか１項に記載のエミッタ装置であって、
前記コマンド送出部は、前記複数のプロトコルにそれぞれ対応する波長の赤外光信号を放射可能な複数の赤外光源を有する
を含むエミッタ装置。
【請求項８】
請求項１ないし６のいずれか１項に記載のエミッタ装置を有する立体映像表示装置。
【請求項９】
左右のシャッタを制御するためのプロトコルが異なる複数のアクティブシャッタメガネにそれぞれ対応する複数のプロトコルのコマンド信号をそれぞれ生成し、
前記それぞれ生成された前記複数のプロトコルのコマンド信号を時分割に多重して送出する
エミッタ装置のコマンド送出方法。
【発明の詳細な説明】
【技術分野】
【０００１】
本発明は、アクティブシャッタメガネに左右のシャッタの開閉制御のためのコマンド信号を供給するエミッタ装置、立体映像表示装置及びコマンド送出方法に関する。
【背景技術】
【０００２】
二眼式ステレオ映像による３Ｄ対応の映像表示装置は、右眼用の映像と左眼用の映像を同時にまたは時分割に表示し、右眼用の映像が鑑賞者の右眼に、左眼用の映像が鑑賞者の左眼に別々に提示されるように、鑑賞者の両眼にかけられたアクティブシャッタメガネの左右のシャッタを互いにすれた時間に開状態にする。このようにアクティブシャッタメガネを制御するためのコマンド信号を送出するデバイスとしてエミッタ装置が用いられる。エミッタ装置は、映像表示装置から供給される同期信号をもとにシャッタ開閉制御のための一連のコマンド信号を生成し、赤外光あるいは電磁波などの放射信号として送出する。一方、アクティブシャッタメガネは、エミッタ装置からの上記コマンド信号を受信し、これをもとに例えば液晶板などで構成される左右のシャッタを開閉駆動する。左右のシャッタはそれぞれ、フレームなどの映像切り替えの１周期内に少なくとも一回ずつ互いに時間をずらして開くことで、その都度左右の眼に入る像の視差によって立体像が鑑賞者において知覚される。上記のアクティブシャッタメガネを用いた二眼式ステレオ映像による３Ｄ表示鑑賞システムについては、例えば特許文献１等にも開示されている。
【０００３】
また、特許文献２に開示されたシステムでは、左右の映像が時分割に表示されるのではなく、映像ソース自体が異なる複数の映像（チャンネル）が時分割に１つの画面に表示される。チェンネル毎に用意された複数のアクティブシャッタメガネそれぞれに対しては、チェンネル毎の同期信号が送出される。これにより、１つの画面を通して複数の鑑賞者が鑑賞したいチャンネルに対応するアクティブシャッタメガネを選び使用することで、同時に異なる複数の映像を１つの画面を通して複数の鑑賞者が鑑賞することができる。
【先行技術文献】
【特許文献】
【０００４】
【特許文献１】特開平８−３２７９６１号公報
【特許文献２】特開平７−２２２０８７号公報
【発明の概要】
【発明が解決しようとする課題】
【０００５】
通常、エミッタ装置からアクティブシャッタメガネへ送出されるシャッタ開閉制御のためのコマンド信号は左眼用のシャッタの開信号、左眼用のシャッタの閉信号、右眼用のシャッタの開信号、及び右眼用のシャッタの閉信号の４種類の信号パターンからなる。これらのコマンド信号のプロトコル、例えばビットパターンやビット数などのコマンド信号の構成は標準化されておらず、例えば、製造メーカによって違っていたり、製造メーカが同じでも製品の型によって違う場合がある。また、コマンド信号を赤外光信号で送出する場合のサブキャリア周波数、光源の波長も標準化されていない。このためアクティブシャッタメガネは専ら立体映像表示装置本体とセットで提供され、その立体映像表示装置の専用メガネとして利用可能なものにすぎなかった。
【０００６】
以上のような事情に鑑み、本発明の目的は、左右のシャッタを制御するためのプロトコルが異なる複数のアクティブシャッタメガネを制御することのできるエミッタ装置、立体映像表示装置及びコマンド送出方法を提供することにある。
【課題を解決するための手段】
【０００７】
上記目的を達成するため、本発明の一形態に係るエミッタ装置は、左右のシャッタを制御するためのプロトコルが異なる複数のアクティブシャッタメガネにそれぞれ対応する複数のプロトコルのコマンド信号をそれぞれ生成可能な複数の生成部と、前記複数の生成部にて生成された前記複数のプロトコルのコマンド信号を時分割に多重して送出するコマンド送出部とを具備する。
本発明によれば、コマンド送出部が、複数のアクティブシャッタメガネをそれぞれ制御するための複数のプロトコルのコマンド信号を時分割に多重して送出することによって、複数のアクティブシャッタメガネを１つのエミッタ装置により制御することができる。これにより、本発明のエミッタ装置が接続された立体映像表示装置に表示された立体映像を、プロトコルの異なる複数のアクティブシャッタメガネを用いて複数のユーザが鑑賞できるようになる。
【０００８】
前記複数のアクティブシャッタメガネがそれぞれ、前記左右のシャッタを交互に開閉する動作を前記コマンド信号の停止後所定の自走可能時間継続することが可能とされ、前記コマンド送出部は、前記プロトコル毎のコマンド信号の間欠時間がそれぞれ前記自走可能時間を越えないように前記プロトコル毎のコマンド信号を時分割に多重して送出するようにしてもよい。
これにより、時分割に多重されたプロトコル毎のコマンド信号により複数のアクティブシャッタメガネが制御されるとき、各アクティブシャッタメガネそれぞれが自走状態でシャッタの開閉動作を継続することが保証される。これによって、信頼性の向上が期待される。
【０００９】
前記コマンド送出部は、前記プロトコル毎のコマンド信号をそれぞれ所定のフレーム数に相当する時間単位で時分割に多重して送出するものであってもよい。
これにより、プロトコル毎にフレーム内で完結したコマンド信号が得られる。言い換えれば、フレームの途中でコマンド信号のプロトコルが変更されることがない。よって、プロトコル毎のコマンド信号によるシャッタ開閉制御を安定して行うことが可能になる。
【００１０】
前記所定のフレーム数は、それぞれの前記アクティブシャッタメガネが前記左右のシャッタの開閉周期を算出可能な最小フレーム数とする。
これにより、各アクティブシャッタメガネにおいて、左右のシャッタを交互に開閉する動作をコマンド信号の停止後自走可能時間継続するために必要な、左右のシャッタの開閉周期を算出できることが保証される。
【００１１】
前記コマンド送出部は、各プロトコルのコマンド信号をそれぞれブランクの１以上のフレームを挟んで切り替えて送出するようにしてもかまわない。
【００１２】
また、少なくとも１つのプロトコルが、第１の所定のフレーム数の無信号区間とこの無信号区間の前後の第２の所定のフレーム数の信号区間とで構成される信号の系列を、対応する前記アクティブシャッタメガネにおいて制御を開始するためのトリガとして用いることを規定するものであって、前記コマンド送出部は、前記無信号区間に相当する期間の少なくとも一部に他の少なくとも１つのプロトコルに対応するコマンド信号を送出するようにしてもよい。
【００１３】
前記コマンド送出部は、前記複数のプロトコルにそれぞれ対応する波長の赤外光信号を放射可能な複数の赤外光源を有するものであってよい。
これにより、複数のアクティブシャッタメガネの受信可能な赤外光信号の波長が異なる場合であっても、アクティブシャッタメガネにシャッタ開閉制御のための赤外光によるコマンド信号を伝達することができる。
【００１４】
本発明の別の観点に基づく立体映像表示装置は、上記のいずれかのエミッタ装置を有するものである。
これにより、本発明の立体映像表示装置に表示された立体映像を、プロトコルの異なる複数のアクティブシャッタメガネを用いて複数のユーザが鑑賞できるようになる。
【００１５】
本発明の別の観点に基づくエミッタ装置のコマンド送出方法は、左右のシャッタを制御するためのプロトコルが異なる複数のアクティブシャッタメガネにそれぞれ対応する複数のプロトコルのコマンド信号をそれぞれ生成し、前記それぞれ生成された前記複数のプロトコルのコマンド信号を時分割に多重して送出することを特徴とする。
【発明の効果】
【００１６】
以上のように、本発明によれば、左右のシャッタを制御するためのプロトコルが異なる複数のアクティブシャッタメガネを制御することができ、立体映像表示装置に表示された立体映像を、プロトコルの異なる複数のアクティブシャッタメガネを用いて複数のユーザが鑑賞できるようになる。
【図面の簡単な説明】
【００１７】
【図１】本発明の第１の実施形態に係る立体映像鑑賞システムの構成を示す概念図である。
【図２】エミッタ装置からのコマンド信号に基づく典型的なシャッタ開閉制御に関するタイミング図である。
【図３】第１のプロトコルにおける４種類のコマンド信号の波形を示す図である。
【図４】第２のプロトコルにおける４種類のコマンド信号の波形を示す図である。
【図５】第１の実施形態のエミッタ装置を内蔵する立体映像表示装置の構成を示すブロック図である。
【図６】図５におけるエミッタ装置の詳細な構成を示すブロック図である。
【図７】メガネの構成を示すブロック図である。
【図８】第１の実施形態による２つのメガネのシャッタ開閉制御に関するタイミング図である。
【図９】図８のタイミング図を簡略化した図である。
【図１０】第２の実施形態による２つのメガネのシャッタ開閉制御に関するタイミング図である。
【図１１】無信号区間とその前後の信号区間とで構成されるコマンド信号の系列をメガネでシャッタ開閉制御を開始するためのトリガとするプロトコルについて説明するための図である。
【図１２】第３の実施形態による２つのメガネのシャッタ開閉制御に関するタイミング図である。
【図１３】図８のタイミング図を簡略化した図である。
【図１４】第４の実施形態による２つのメガネのシャッタ開閉制御に関するタイミング図である。
【図１５】本実施形態の変形例１のエミッタ装置の構成を示すブロック図である。
【図１６】本実施形態の変形例２のエミッタ装置の構成を示すブロック図である。
【図１７】本実施形態の変形例３のエミッタ装置の構成を示すブロック図である。
【図１８】本実施形態の変形例４のエミッタ装置の概念図である。
【発明を実施するための形態】
【００１８】
以下、図面を参照しながら、本発明の実施形態を説明する。
＜第１の実施形態＞
［立体映像鑑賞システムの構成］
図１は、本発明の第１の実施形態に係る立体映像鑑賞システムの構成を示す概念図である。
この立体映像鑑賞システム１００は、エミッタ装置１０を内蔵する立体映像表示装置２０と、複数のアクティブシャッタメガネ３０（以下単に「メガネ」と呼ぶ。）とで構成される。なお、この実施形態では、説明の簡単のため、メガネが２つである場合について説明する。
【００１９】
エミッタ装置１０を内蔵する立体映像表示装置２０は、例えば二眼式ステレオ映像などによる立体映像を提示可能な表示装置であり、具体的には製品形態は、例えばテレビジョン装置などである。
【００２０】
メガネ３０は、立体映像表示装置２０により表示される立体映像の鑑賞者であるユーザの両眼にかけられるアクティブシャッタ方式のメガネである。２つのメガネ３０は、それぞれの仕様において、シャッタ開閉制御のためのコマンド信号のビットパターン、ビット数、サブキャリア周波数などの通信規約（以下「プロトコル」と呼ぶ。）が互いに相違するものである。以後、それぞれのメガネ３０を区別して示す場合には、一方を「第１のメガネ３０−１」、他方を「第２のメガネ３０−２」と呼ぶこととする。また、第１のメガネ３０−１に採用されたプロトコルを「第１のプロトコル」、第２のメガネ３０−２に採用されたプロトコルを「第２のプロトコル」と呼ぶ。
【００２１】
立体映像表示装置２０に内蔵されるエミッタ装置１０は、プロトコルが異なる複数のメガネ３０に、それぞれのメガネ３０のプロトコルに対応する赤外光によるコマンド信号５０を、それぞれのメガネ３０の自走可能期間を利用して、互いに時間をずらして放射（送出）することができるように構成されたものである。
【００２２】
［典型的なシャッタ開閉制御］
図２はエミッタ装置１０からのコマンド信号に基づくメガネ３０のシャッタ開閉制御に関するタイミング図である。なお、図２の例では、左眼用映像と右眼用映像をフィールド単位で切り替えるフィールドシーケンシャル方式が採用されていることとする。メガネ３０は、エミッタ装置１０から受信した赤外光による一連のコマンド信号をもとに、左眼用映像が表示される奇数フィールド期間に左眼用のシャッタを一度開閉し、右眼用映像が表示される偶数フィールド期間に右眼用のシャッタを一度開閉する。これにより、左右の眼に入る像の視差によって立体映像が鑑賞者において知覚される。
【００２３】
エミッタ装置１０から送出されるコマンド信号には次の４種類がある。
・L-open（左のシャッタを開）
・L-close（左のシャッタを閉）
・R-open（右のシャッタを開）
・R-close（右のシャッタを閉）
すなわち、エミッタ装置１０は、左眼用映像が表示される奇数フィールド期間にL-openコマンド及びL-closeコマンドを順次送出し、右眼用映像が表示される偶数フィールド期間にR-openコマンド及びR-closeコマンドを順次送出する。
【００２４】
［コマンド信号のプロトコル］
メガネ３０のシャッタ開閉制御のためのコマンド信号のプロトコルは、製造メーカによって違っていたり、製造メーカが同じでも製品の型によって違っていたりする場合がある。
【００２５】
図３は第１のメガネ３０に採用された第１のプロトコルにおける４種類のコマンド信号ａ，ｂ，ｃ，ｄの波形を示す図、図４は第２のメガネ３０に採用された第２のプロトコルにおける４種類のコマンド信号Ａ，Ｂ，Ｃ，Ｄの波形を示す図である。これらの図を比較すれば分かるように、コマンド信号の波形を特徴付ける要素であるビットパターン、ビット数、サブキャリア周波数などは２つのプロトコル間で相違する。
なお、図３及び図４に示されるコマンド信号の波形は赤外光信号の送受信に適した変調が施された信号であり、例えば、コマンド信号の個々のビットの値がそのまま赤外光源の駆動のオン／オフに対応する。
【００２６】
なお、ここまで説明した事項は、後で説明する他の実施形態においても共通である。
【００２７】
［エミッタ装置を内蔵する立体映像表示装置の構成］
図５は、エミッタ装置１０を内蔵する立体映像表示装置２０の構成を示すブロック図である。この立体映像表示装置２０は、エミッタ装置１０以外に、立体映像データ取得部２１、映像信号出力部２３、及び表示部２５を有する。
【００２８】
立体映像データ取得部２１は、例えば、ブルーレイディスク等のメディア、放送、インターネット、立体映像データを扱う他の機器などから時分割方式の立体映像データを取得して、映像信号出力部２３に供給する。
【００２９】
映像信号出力部２３は、供給された立体映像データを復号するなどして左眼用映像と右眼用映像をそれぞれ生成し、表示部２５に出力する。映像信号出力部２３は、表示部２５への左眼用映像と右眼用映像の出力に伴い、エミッタ装置１０にフレームなどの映像の切り替えに同期した同期信号を供給する。
【００３０】
本実施形態では、左眼用映像と右眼用映像に互いに相補的なフィールドを割り当てて出力する方式が採用されているが、左眼用映像信号と右眼用映像信号とを同時に出力する方法や、フレーム単位で左眼用映像信号と右眼用映像信号を割り当てて出力する方法を採用してもよい。
【００３１】
表示部２５は、左右視差映像を画面上に表示する。表示部２５には、例えば、液晶ディスプレイ装置や、プラズマディスプレイ装置、有機ＥＬ（Electro Luminescence）ディスプレイ装置等が使用される。
【００３２】
［エミッタ装置の構成］
図６は図５におけるエミッタ装置１０の詳細な構成を示すブロック図である。エミッタ装置１０は、同期処理部１１、第１のコマンド生成部１２−１、第２のコマンド生成部１２−２、切替部１４、制御部１５、赤外信号駆動部１６、及び赤外光源１７を備える。ここで、第１のコマンド生成部１２−１と第２のコマンド生成部１２−２は請求項の「複数の生成部」に相当する。切替部１４、制御部１５、赤外信号駆動部１６、及び赤外光源１７は請求項の「コマンド送出部」に相当する。
【００３３】
同期処理部１１は、映像信号出力部２３より供給される同期信号を第１のコマンド生成部１２−１、第２のコマンド生成部１２−２及び制御部１５に供給する。
【００３４】
第１のコマンド生成部１２−１は、第１のメガネ３０−１のシャッタ開閉制御のための、第１のプロトコルに対応する一連の第１のコマンド信号を生成する。
第２のコマンド生成部１２−２は、第２のメガネ３０−２のシャッタ開閉制御のための、第２のプロトコルに対応する一連の第２のコマンド信号を生成する。
第１のコマンド生成部１２−１及び第２のコマンド生成部１２−２はそれぞれ、同期処理部１１からの同期信号に応じて、第１のプロトコルに対応する一連の第１のコマンド信号及び第２のプロトコルに対応する一連の第２のコマンド信号を生成して、切替部１４に供給する。
【００３５】
切替部１４は、第１のコマンド生成部１２−１及び第２のコマンド生成部１２−２より供給された一連の第１のコマンド信号及び一連の第２のコマンド信号のうち、制御部１５からの切り替え信号をもとに一方のコマンド信号を選択して赤外信号駆動部１６に供給する。
【００３６】
制御部１５は、複数のプロトコルのコマンド信号を時分割に多重するように切替部１４を制御する。すなわち、制御部１５は、同期処理部１１からの同期信号をもとにＮフレーム毎に一連の第１のコマンド信号と一連の第２のコマンド信号とを切り替えて選択するように切替部１４を制御する。ここで、Ｎは各メガネ３０のシャッタ開閉周期の算出のために必要な最小フレーム数であり、例えばＮ＝２である。
【００３７】
赤外信号駆動部１６は、切替部１４より供給されたコマンド信号の波形に対応する赤外光によるコマンド信号５０を赤外光源１７から放射させるように赤外光源１７を駆動する。
赤外光源１７は、赤外光によるコマンド信号５０を放射する、例えば発光ダイオードなどの光源である。
【００３８】
［メガネの構成］
図７はメガネ３０の構成を示すブロック図である。
第１のメガネ３０−１と第２のメガネ３０−２の基本的な構成は同じである。
図７に示すように、メガネ３０は、赤外受光部３１、信号検出部３２、コマンド処理部３３、シャッタ駆動部３４、及び左右のシャッタ３５Ｒ，３５Ｌなどで構成される。
【００３９】
赤外受光部３１は、エミッタ装置１０から送出された赤外光によるコマンド信号５０を波長フィルタ（図示せず）を通じて受光して電気信号に変換し、信号検出部３２に供給する。
【００４０】
信号検出部３２は、赤外受光部３１から供給された電気信号から受信対象とするサブキャリア周波数の信号をバンドパス・フィルタ（図示せず）を通じて選択的に取り出し、２値化し、この結果得られた波形パターンをコマンド処理部３３に供給する。
【００４１】
コマンド処理部３３は、上記の４種類のコマンドに対応する基準波形パターンの情報を記憶するメモリ（図示せず）を有する。コマンド処理部３３は、メモリに記憶された各コマンドの基準波形パターンと信号検出部３２から供給された波形パターンとのマッチングによりコマンドを判定し、このコマンドをもとにシャッタ駆動部３４を制御する。
【００４２】
シャッタ駆動部３４は、コマンド処理部３３による制御の下で左右のシャッタ３５Ｒ，３５Ｌを駆動する。
左右のシャッタ３５Ｒ，３５Ｌは、例えば、液晶素子などで構成され、シャッタ駆動部３４によって左右個別に開閉操作される。
【００４３】
第１のメガネ３０−１と第２のメガネ３０−２の基本的な構成は同様であるが、コマンド信号のプロトコルに応じて、例えば、赤外受光部３１の波長フィルタの透過波長帯域、信号検出部３２のバンドパス・フィルタの透過周波数帯域、コマンド処理部３３のコマンドの基準波形パターン等が決められている。
【００４４】
また、メガネ３０は、エミッタ装置１０からのコマンド信号の停止後、一定時間はそのコマンド信号に依存せずに、それまでに算出されたシャッタ開閉周期で開閉動作を継続して実行できるように構成されている。ここで、コマンド信号に依存せずにシャッタ開閉動作を継続して実行できる時間を「自走可能時間」と呼ぶ。この自走可能時間はメガネの種類により様々であるが、例えば、３秒，４秒程度である。コマンド処理部３３は、自走可能時間内に次のコマンド信号を受信したなら、自走状態（コマンド信号に依存せずにシャッタ開閉動作を実行する状態）からコマンドに応じた制御状態に移行する。また、自走可能時間内に次のコマンド信号を受信できなかった場合、リセット動作として次のコマンド信号が受信されるまで左右のシャッタ３５Ｒ，３５Ｌがともに開状態に固定される。このような自走可能時間が設けられていることで、エミッタ装置１０とメガネ３０との間を人などの物体が通過するなどして赤外光によるコマンド信号をメガネ３０が一時的に受信できなくなったとしてもシャッタ開閉制御が途切れることがないため、立体映像を観察者に安定して提示することができる。
【００４５】
本実施形態のエミッタ装置１０は、プロトコル毎のコマンド信号の間欠時間がそれぞれ自走可能時間を越えないようにプロトコル毎のコマンド信号を時分割に多重して送出する。すなわち、本実施形態のエミッタ装置１０では、一連の第１のコマンド信号と一連の第２のコマンド信号とがＮフレーム毎に連続して交互に切り替えられて送出される。ここでＮはメガネ３０がシャッタ開閉周期を算出するために必要な最小フレーム数であり、例えばＮ＝２である。
【００４６】
このようにすることによって、１つのエミッタ装置１０でプロトコルの異なる２つのメガネ３０−１，３０−２のシャッタ開閉制御を行うことができる。
【００４７】
また、プロトコルの異なるメガネが３つ以上である場合でも、プロトコル毎のコマンド信号の間欠時間がそれぞれ自走可能時間を越えないように、プロトコル毎のコマンド信号を時分割に多重して送出するようにすればよい。
【００４８】
［２つのメガネのシャッタ開閉制御の動作］
図８は本実施形態による２つのメガネ３０−１，３０−２のシャッタ開閉制御に関するタイミング図である。上から順に、立体動画のフレームシーケンス、赤外光によるコマンド信号、第１のメガネ３０−１の左眼用のシャッタ操作信号、第１のメガネ３０−１の右眼用のシャッタ操作信号、第２のメガネ３０−２の左眼用のシャッタ操作信号、第２のメガネ３０−２の右眼用のシャッタ操作信号のタイミングを示している。また、ａ，ｂ，ｃ，ｄはそれぞれ第１のプロトコルに対応する一連の第１のコマンド信号L-open、L-close、R-open、R-closeの送出タイミングを示し、Ａ，Ｂ，Ｃ，Ｄはそれぞれ第２のプロトコルに対応する一連の第２のコマンド信号の送出タイミングを示している。
【００４９】
まず、エミッタ装置１０において、同期処理部１１は、映像信号出力部２３より供給される同期信号を第１のコマンド生成部１２−１、第２のコマンド生成部１２−２及び制御部１５にそれぞれ供給する。
【００５０】
第１のコマンド生成部１２−１は、同期処理部１１からの同期信号に応じて第１のプロトコルに対応する一連の第１のコマンド信号を生成して切替部１４に供給する。同時に、第２のコマンド生成部１２−２は、同期処理部１１からの同期信号に応じて第２のプロトコルに対応する一連の第２のコマンド信号を生成して切替部１４に供給する。
【００５１】
なお、図８では、各プロトコルのコマンド信号とも、L-open、L-close、R-open、R-closeの順で生成される場合を示しているが、R-open、R-close、L-open、L-closeの順で生成されてもよい。
【００５２】
一方、制御部１５は、複数のプロトコルのコマンド信号を時分割に多重するために、同期処理部１１からの同期信号をＮ（例えばＮ＝２）回受信する毎に切替部１４に切り替え信号を供給する。したがって、切替部１４では、Ｎフレーム毎に第１のプロトコルに対応する一連の第１のコマンド信号と第２のプロトコルに対応する一連の第２のコマンド信号が交互に選択され、その都度選択された一連のコマンド信号が赤外信号駆動部１６に供給される。
【００５３】
赤外信号駆動部１６は、切替部１４からコマンド信号を受けると、このコマンド信号の波形に対応する赤外光信号を赤外光源１７から放射させるように赤外光源１７を駆動する。これにより、赤外光源１７から、第１のプロトコルに対応する一連の赤外光による第１のコマンド信号５０と第２のプロトコルに対応する一連の赤外光による第２のコマンド信号５０とがＮフレーム毎に連続して交互に切り替えられて送出される。
【００５４】
図８でこの動作を説明すると、フレーム１及び２の期間に第１のプロトコルに対応する赤外光による一連の第１のコマンド信号ａ，ｂ，ｃ，ｄが送出され、次の２フレーム（フレーム３及び４）の期間に第２のプロトコルに対応する赤外光による一連の第２のコマンド信号Ａ，Ｂ，Ｃ，Ｄがそれぞれエミッタ装置１０から送出される。この後も繰り返し、一連の第１のコマンド信号ａ，ｂ，ｃ，ｄと一連の第２のコマンド信号Ａ，Ｂ，Ｃ，Ｄとが２フレームの周期で交互に切り替えられてエミッタ装置１０から送出される。
【００５５】
一方、第１のメガネ３０−１及び第２のメガネ３０−２のそれぞれにおいては、赤外光によるコマンド信号５０が赤外受光部３１にて波長フィルタを通じて選択的に受光され、信号検出部３２にてバンドパス・フィルタを通じて、受信対象とするサブキャリア周波数の信号のみが受信される。さらに、コマンド処理部３３にて、メモリに記憶されたいずれかのコマンドの基準波形パターンと一致した波形パターンを有する信号のみが有意なコマンド信号として判定される。
【００５６】
これにより、第１のメガネ３０−１はフレーム１及び２とフレーム５及び６の期間にエミッタ装置１０から送出される一連の第１のコマンド信号ａ，ｂ，ｃ，ｄを受信し、これをもとにシャッタ開閉制御を行い、その後、エミッタ装置１０から一連の第２のコマンド信号Ａ，Ｂ，Ｃ，Ｄが送出されるフレーム３及び４とフレーム７及び８の期間は自走状態でシャッタ開閉制御を継続する。一方、第２のメガネ３０−２はフレーム３及び４とフレーム７及び８の期間にエミッタ装置１０から送出される一連の第２のコマンド信号Ａ，Ｂ，Ｃ，Ｄを受信し、これをもとにシャッタ開閉制御を行い、その後、エミッタ装置１０から一連の第１のコマンド信号ａ，ｂ，ｃ，ｄが送出されるフレーム１及び２とフレーム５及び６の期間は自走状態でシャッタ開閉制御を継続する。
【００５７】
このように本実施形態によれば、１つのエミッタ装置１０で、プロトコルの異なる２つのメガネ３０−１，３０−２のシャッタ開閉制御を行うことができ、１つの立体映像表示装置２０に表示された立体映像をプロトコルが異なる２つのメガネ３０−１，３０−２を用いて複数のユーザが鑑賞できるようになる。勿論、同様の原理により、３つ以上のメガネのシャッタ開閉制御を１つのエミッタ装置で行うことも可能である。
【００５８】
＜第２の実施形態＞
第１の実施形態では、図９に示すように、全てのフレームの期間に第１のプロトコルに対応する一連の第１のコマンド信号と第２のプロトコルに対応する一連の第２のコマンド信号をＮフレーム毎に交互に割り当てることとした。なお、図８の第１のプロトコルに対応する一連の第１のコマンド信号ａ，ｂ，ｃ，ｄは図９ではａとして簡略化して示し、図８の第２のプロトコルに対応する一連の第２のコマンド信号Ａ，Ｂ，Ｃ，Ｄは図９ではＡとして簡略化して示してある。
【００５９】
このように全てのフレームの期間を埋めるようにして各プロトコルのコマンド信号を割り当てるのではなく、各プロトコルのコマンド信号をそれぞれＭ個のブランクフレームを挟んで割り当てるようにしてもよい。ここで、ブランクフレームとは、どのプロトコルのコマンド信号も割り当てられないフレームである。ブランクフレーム数Ｍは、プロトコル毎のコマンド信号の間欠時間がそれぞれ自走可能時間を越えない範囲で選定される。
【００６０】
図１０は、上記のブランクフレームを採用した第２の実施形態による２つのメガネ３０−１，３０−２のシャッタ開閉制御に関するタイミング図である。ここではＮ＝２、Ｍ＝１とした。この例では、フレーム３とフレーム６がブランクフレームである。この場合、各々のプロトコルに対応する一連のコマンド信号が途絶える期間は４フレームであり、１フレームを１／６０秒とすると１／１５秒である。第１の自走可能時間及び第２の自走可能時間が３秒、４秒程度であることから、ブランクフレーム数Ｍはもっと大きくすることが可能である。
【００６１】
＜第３の実施形態＞
ここまで第１のメガネ３０−１及び第２のメガネ３０−２がともに、１フレーム毎の一連のコマンド信号でシャッタ開閉制御を完結できる場合について述べてきた。しかし、４種類のコマンド信号の波形に関する規定はそのままで、例えば図１１に示すように、所定のフレーム数分の無信号区間とこの無信号区間の前後の所定のフレーム数分の信号区間とで構成される信号系列をメガネでシャッタ開閉制御を開始するためのトリガとして用いることがプロトコルで規定される場合がある。信号区間には、例えば、第１の実施形態で説明した第１のプロトコルあるいは第２のプロトコルにおける一連のコマンド信号などが含まれる。メガネは、上記の信号系列を検出してはじめてシャッタ開閉制御を開始し、以後は個々の信号区間のコマンド信号に基づいてシャッタ開閉制御を行う。
【００６２】
次に、第１のプロトコルと第２のプロトコルのいずれか一方が、上記の信号系列によりメガネにシャッタ開閉制御を開始させるように規定されたものである場合の２つのメガネ３０−１，３０−２のシャッタ開閉制御の動作を説明する。なお、本実施形態においては、第２のプロトコルにその規定が設けられていることとする。
【００６３】
図１２は本実施形態による２つのメガネ３０−１，３０−２のシャッタ開閉制御に関するタイミング図である。上から順に、立体動画のフレームシーケンス、赤外光によるコマンド信号、第１のメガネ３０−１の左眼用のシャッタ操作信号、第１のメガネ３０−１の右眼用のシャッタ操作信号、第２のメガネ３０−２の左眼用のシャッタ操作信号、第２のメガネ３０−２の右眼用のシャッタ操作信号のタイミングを示している。また、ａ，ｂ，ｃ，ｄはそれぞれ第１のプロトコルに対応する一連の第１のコマンド信号L-open、L-close、R-open、R-closeの送出タイミングを示し、Ａ，Ｂ，Ｃ，Ｄはそれぞれ第２のプロトコルに対応する一連の第２のコマンド信号の送出タイミングを示している。また、図１２において、フレーム１及び２は上記の信号系列における前側の信号区間に相当する期間、フレーム３−６は無信号区間に相当する期間、フレーム７及び８は後側の信号区間に相当する期間である。
【００６４】
エミッタ装置１０内の制御部１５は、上記の信号系列における信号区間に相当する期間に第２のコマンド信号を選択させ、無信号区間に相当する期間に第１のコマンド信号を選択させるように切替部１４を制御する。これによって、エミッタ装置１０からは、信号区間に相当するフレーム１及び２とフレーム７及び８の期間に第２のコマンド信号Ａ，Ｂ，Ｃ，Ｄが送出され、無信号区間に相当するフレーム３−６の期間に第１のコマンド信号ａ，ｂ，ｃ，ｄが送出される。
【００６５】
本実施形態によっても、プロトコル毎のコマンド信号の間欠時間がそれぞれ自走可能時間を越えない範囲で、各プロトコルのコマンド信号を送出させることができる。したがって、１つのエミッタ装置１０でプロトコルの異なる２つのメガネ３０−１，３０−２のシャッタ開閉制御を行うことができるとともに、各メガネ３０−１，３０−２それぞれが自走状態でシャッタの開閉動作を継続することが保証される。
【００６６】
＜第４の実施形態＞
第３の実施形態では、図１３に示すように、全てのフレームの期間に第１のプロトコルに対応する一連の第１のコマンド信号と第２のプロトコルに対応する一連の第２のコマンド信号を互いに時間をずらして割り当てることとした。なお、図１２の第１のプロトコルに対応する一連の第１のコマンド信号ａ，ｂ，ｃ，ｄは図１３ではａとして簡略化して示し、図１２の第２のプロトコルに対応する一連の第２のコマンド信号Ａ，Ｂ，Ｃ，Ｄは図１３ではＡとして簡略化して示してある。
【００６７】
このように全てのフレームの期間を埋めるようにして各プロトコルのコマンド信号を割り当てるのではなく、例えば図１４に示すように、上記の信号系列における無信号区間の一部のフレームをブランクフレームにしてもよい。ここで、無信号区間に設けることのできるブランクフレーム数Ｍの最大値は、無信号区間のフレーム数から、メガネ３０のシャッタ開閉周期の算出のために必要な最小フレーム数（例えば２）を減算した値となる。
【００６８】
＜変形例１＞
次に、エミッタ装置の変形例を説明する。
図１５は変形例１のエミッタ装置１０Ａの構成を示すブロック図である。
第１のメガネ３０−１と第２のメガネ３０−２とで受信可能な赤外光信号の波長が異なる場合には、それぞれの波長の赤外光を放射可能な２つの赤外光源１７−１，１７−２とこれらの赤外光源１７−１，１７−２をそれぞれ駆動する赤外信号駆動部１６−１，１６−２が必要となる。ここで、第１のメガネ３０−１に対応した波長の赤外光源を「第１の赤外光源１７−１」、第１の赤外光源１７−１を駆動する赤外信号駆動部を「第１の赤外信号駆動部１６−１」とする。また、第２のメガネ３０−２に対応した波長の赤外光源を「第２の赤外光源１７−２」、第２の赤外光源１７−２を駆動する赤外信号駆動部を「第２の赤外信号駆動部１６−２」と呼ぶこととする。
【００６９】
制御部１５Ａは、第１のプロトコルに対応する一連の第１のコマンド信号と第２のプロトコルに対応する一連の第２のコマンド信号とを切り替えて選択するように切替部１４Ａを制御するのと同時に、切替部１４Ａによって選択されたコマンド信号の出力先を第１の赤外信号駆動部１６−１と第２の赤外信号駆動部１６−２との間で切り替える。具体的には、切替部１４Ａにて第１のコマンド信号が選択されるときはこの第１のコマンド信号が第１の赤外信号駆動部１６−１に出力され、切替部１４Ａにて第２のコマンド信号が選択されるときはこの第２のコマンド信号が第２の赤外信号駆動部１６−２に出力されるように、制御部１５Ａによって切替部１４Ａが制御される。
【００７０】
本変形例１のエミッタ装置１０Ａによれば、第１のメガネ３０−１と第２のメガネ３０−２とで受信可能な赤外光信号の波長が異なる場合であっても、各メガネ３０−１，メガネ３０−２にシャッタ開閉制御のための赤外光によるコマンド信号を伝達することができる。
【００７１】
＜変形例２＞
図１６は変形例２のエミッタ装置１０Ｂの構成を示すブロック図である。
このエミッタ装置１０Ｂでは、切替部１４Ｂが同期処理部１１と各コマンド生成部１２−１，１２−２との間に配置されている。切替部１４Ｂは、出力する方のコマンド信号を生成するコマンド生成部に対してのみ同期処理部１１からの同期信号が供給されるように、同期信号の出力先を第１のコマンド生成部１２−１と第２のコマンド生成部１２−２との間で切り替える。この構成によれば、出力する方のコマンド信号を生成するコマンド生成部だけを動作させることができるので、エミッタ装置１０Ｂの処理量を低減することができる。
【００７２】
＜変形例３＞
図１７は変形例３のエミッタ装置１０Ｃの構成を示すブロック図である。
このエミッタ装置１０Ｃは、変形例１と変形例２との組み合わせである。
すなわち、このエミッタ装置１０Ｃは、第１のメガネ３０−１に対応した波長の第１の赤外光源１７−１、第１の赤外光源１７−１を駆動する第１の赤外信号駆動部１６−１、第２のメガネ３０−２に対応した波長の第２の赤外光源１７−２、第２の赤外光源１７−２を駆動する第２の赤外信号駆動部１６−２とを備えるとともに、切替部１４Ｂが同期処理部１１と各コマンド生成部１２−１，１２−２との間に配置される。この構成によって、第１のメガネ３０−１と第２のメガネ３０−２とで赤外光信号の波長の仕様が異なる場合に対応することができるとともに、出力する方のコマンド信号を生成するコマンド生成部だけを動作させることができるので、エミッタ装置１０Ｃの処理量を低減することができる。
【００７３】
＜変形例４＞
エミッタ装置１０は立体映像表示装置２０に内蔵されることに限らない。図１８に示すように、立体映像表示装置２０に対して着脱自在に外付けが可能なエミッタ装置１０Ｄとして提供してもよい。
【００７４】
＜その他の変形例＞
コマンド信号の通信媒体として、上記の実施形態では赤外光を用いたが、電磁波を用いた場合であっても、本発明は適用可能である。
【００７５】
さらに、本発明は、上述の図示例にのみ限定されるものではなく、本発明の要旨を逸脱しない範囲内において種々変更を加え得ることは勿論である。
【符号の説明】
【００７６】
１０…エミッタ装置
１１…同期処理部
１２−１…第１のコマンド生成部
１２−２…第２のコマンド生成部
１４…切替部
１５…制御部
１６…赤外信号駆動部
１７…赤外光源
２０…立体映像表示装置
３０（３０−１、３０−２）…アクティブシャッタメガネ
３１…赤外受光部
３２…信号検出部
３３…コマンド処理部
３４…シャッタ駆動部
３５Ｒ．３５Ｌ…シャッタ
１００…立体映像鑑賞システム
【図１】
2012049604.tif 000003
【図２】
2012049604.tif 000004
【図３】
2012049604.tif 000005
【図４】
2012049604.tif 000006
【図５】
2012049604.tif 000007
【図６】
2012049604.tif 000008
【図７】
2012049604.tif 000009
【図８】
2012049604.tif 000010
【図９】
2012049604.tif 000011
【図１０】
2012049604.tif 000012
【図１１】
2012049604.tif 000013
【図１２】
2012049604.tif 000014
【図１３】
2012049604.tif 000015
【図１４】
2012049604.tif 000016
【図１５】
2012049604.tif 000017
【図１６】
2012049604.tif 000018
【図１７】
2012049604.tif 000019
【図１８】
2012049604.tif 000020